(57)【特許請求の範囲】
【請求項１】
同一平面上に配置された複数の表示ユニットと、前記各表示ユニットに映像信号を送信する制御基板を有する表示モジュールを備えた大型映像表示装置であって、
前記表示モジュールは、無線で信号の送受信を行う第１の無線通信モジュールを搭載した無線伝送基板を有し、前記無線伝送基板は、上位コントローラから送信された映像信号を前記第１の無線通信モジュールにより前記制御基板に送信し、
前記制御基板は、無線で信号の送受信を行う第２の無線通信モジュールを搭載し、前記第２の無線通信モジュールにより、前記無線伝送基板から送信された映像信号を受信するとともに、受信した映像信号に前記表示ユニットのアドレスを付加して前記各表示ユニットに送信し、
前記各表示ユニットは、無線で信号の受信のみを行う無線受信部を有し、前記制御基板から送信された映像信号のうち当該表示ユニットのアドレスが付加された映像信号を受信することを特徴とする大型映像表示装置。
【請求項２】
請求項１に記載の大型映像表示装置であって、前記表示モジュールを同一平面上に複数組み合わせることにより全体として１つの映像表示部が構成され、前記各表示モジュールは、それぞれ複数の前記無線伝送基板を有し、そのうち１枚の前記無線伝送基板に前記上位コントローラからケーブルを介して映像信号が送信され、前記各表示モジュール内部における前記無線伝送基板と前記制御基板間の映像信号の送受信、及び隣接する前記表示モジュールにおける前記無線伝送基板相互間の映像信号の送受信は無線で行われることを特徴とする大型映像表示装置。
【請求項３】
請求項２に記載の大型映像表示装置であって、前記制御基板は、前記無線伝送基板から送信された映像信号が当該表示モジュールに対応する映像信号か、他の前記表示モジュールに対応する映像信号かを判別し、当該表示モジュールに対応する映像信号のみを受信し、他の前記表示モジュールに対応する映像信号を隣接する前記表示モジュールの前記無線伝送基板に転送することを特徴とする大型映像表示装置。
【請求項４】
請求項２に記載の大型映像表示装置であって、前記各表示モジュールは、その端縁部の少なくとも２箇所に、無線で電力伝送を行う電力送受信機を備え、そのうち１つの前記電力送受信機に外部電源から電力が供給され、隣接する前記表示モジュール相互間の電力伝送は無線で行われることを特徴とする大型映像表示装置。
【請求項５】
請求項１に記載の大型映像表示装置であって、前記無線伝送基板と前記制御基板を一体化したことを特徴とする大型映像表示装置。
【請求項６】
請求項１に記載の大型映像表示装置であって、前記表示ユニットは、無線で信号の送受信を行う第３の無線通信モジュールと、当該表示ユニットに関る情報を記憶するメモリを搭載し、前記第３の無線通信モジュールにより、前記制御基板から送信された映像信号を受信するとともに、前記メモリが記憶している情報を前記制御基板に送信することを特徴とする大型映像表示装置。 
【発明の詳細な説明】
【技術分野】
【０００１】
本発明は、複数の表示ユニットを含む表示モジュールを備えた大型映像表示装置に関する。
【背景技術】
【０００２】
一般に、大型映像表示装置は、同一平面上に配置された複数の表示ユニットを含む表示モジュールを、さらに同一平面上に複数組み合わせることにより、全体として１つの映像表示部（スクリーン）を構成している。このような大型映像表示装置においては、従来、上位コントローラから配信された映像信号は各表示モジュールの制御基板に受信され、さらに制御基板から各表示ユニットに対してそれぞれ送信されていた。
【０００３】
このため、表示ユニット相互間、制御基板と表示ユニット間、及び表示モジュール相互間には、映像信号や制御信号を伝達する信号ケーブルを配線する必要があった。また、電力伝送においても同様に、分電盤からそれぞれの表示モジュール、さらにそれぞれの表示ユニットへと伝送されるため、表示モジュール相互間及び表示ユニット相互間において電源ケーブルが必要であった。
【０００４】
一方、大型スクリーンのレンタル事業等の分野では、スクリーンを現地にて仮設設置するため、組立、解体が容易であり、メンテナンス性のよい大型映像表示装置が求められている。これに対し、上記のような信号ケーブル及び電源ケーブルの存在は、配線作業に時間を要する上、スクリーンの軽量化を妨げるため、設置性及びメンテナンス性を著しく低下させるものであった。
【０００５】
ケーブル数を削減し、組立作業を簡単に行えるようにした表示装置の先行例として、特許文献１では、各表示ユニットに設けられたコントローラが、各表示ユニットに設けられた信号伝達部である赤外線ポートを介して隣接する他の表示ユニットのコントローラと信号のやりとりを行う方式が提示されている。また、この先行例では、各表示ユニットの上下左右４箇所に電力伝達部が配置され、隣り合う表示ユニットの電力伝達部同士の凸部と凹部を嵌合させて電力を伝送する構造となっている。
【先行技術文献】
【特許文献】
【０００６】
【特許文献１】特開平１０−３３３６３１号公報
【発明の概要】
【発明が解決しようとする課題】
【０００７】
しかしながら、特許文献１で提示されたような、表示ユニット相互間の信号伝送を赤外線通信により１対１で行う方式では、表示ユニット毎に無線送受信モジュールやコントローラが必要となるため、コスト高となるという問題があった。また、表示モジュール相互間における通信は無線通信ではないためケーブルが必要であった。さらに、表示モジュール相互間の電力伝送においても、無線伝送ではないため、ケーブルが必要であった。このため、スクリーンの組立、解体に時間を要し、設置性及びメンテナンス性を低下させていた。
【０００８】
本発明は、上記のような課題を解決するためになされたものであり、信号伝送及び電力伝送のためのケーブルを削減し、設置性及びメンテナンス性の良い大型映像表示装置を提供することを目的とする。
【課題を解決するための手段】
【０００９】
同一平面上に配置された複数の表示ユニットと、各表示ユニットに映像信号を送信する制御基板を有する表示モジュールを備えた大型映像表示装置であって、表示モジュールは、無線で信号の送受信を行う第１の無線通信モジュールを搭載した無線伝送基板を有し、この無線伝送基板は、上位コントローラから送信された映像信号を第１の無線通信モジュールにより制御基板に送信し、制御基板は、無線で信号の送受信を行う第２の無線通信モジュールを搭載し、この第２の無線通信モジュールにより、無線伝送基板から送信された映像信号を受信するとともに、受信した映像信号に表示ユニットのアドレスを付加して各表示ユニットに送信し、各表示ユニットは、無線で信号の受信のみを行う無線受信部を有し、制御基板から送信された映像信号のうち当該表示ユニットのアドレスが付加された映像信号を受信するものである。
【発明の効果】
【００１０】
本発明によれば、同一表示モジュール内の無線伝送基板と制御基板間、制御基板と各表示ユニット間、及び隣接する表示モジュール相互間の映像信号の送受信を無線で行うことができるため、従来に比べてケーブル数の削減が図られ、組立及び解体作業が容易となる。また、ケーブル数の削減により、低コスト化、軽量化が図られる。さらに、１枚の制御基板から複数の表示ユニットに映像信号を送信することができ、表示ユニットには無線受信部のみ搭載すればよいため、従来に比べて表示ユニットの構造が簡単で低コストとなる。以上のことから、設定性、メンテナンス性の良い大型映像表示装置を低コストで実現することが可能である。
【図面の簡単な説明】
【００１１】
【図１】本発明の実施の形態１に係る大型映像表示装置、表示ユニット、無線伝送基板、及び制御基板の構成を示す概略図である。
【図２】本発明の実施の形態１に係る大型映像表示装置の無線信号伝送機能を説明する図である。
【図３】本発明の実施の形態１に係る大型映像表示装置のアドレス設定装置により設定された各表示ユニットのアドレスの例を示す図である。
【図４】本発明の実施の形態１に係る大型映像表示装置の無線電力伝送機能を説明する図である。
【図５】本発明の実施の形態２に係る大型映像表示装置及び無線通信型制御基板の構成を示す概略図である。
【図６】本発明の実施の形態２に係る大型映像表示装置の無線電力伝送機能を説明する図である。
【図７】本発明の実施の形態３に係る大型映像表示装置の無線信号伝送機能を説明する図である。
【発明を実施するための形態】
【００１２】
実施の形態１．
以下に、本発明の実施の形態１について、図面に基づいて説明する。図１において、（ａ）は本発明の実施の形態１に係る大型映像表示装置を構成する表示モジュール、（ｂ）は表示ユニット、（ｃ）はモジュール間無線伝送基板、（ｄ）は制御基板、をそれぞれ示している。なお、図中、同一、相当部分には同一符号を付している。
【００１３】
表示モジュール１は、同一平面上に配置された複数の表示ユニット２と、無線で信号の送受信を行う第１の無線通信モジュール（以下、無線通信モジュール７）を搭載したモジュール間無線伝送基板３（以下、無線伝送基板３と略す）、及び無線で信号の送受信を行う第２の無線通信モジュール（以下、無線通信モジュール７）を搭載し各表示ユニット２に映像信号を送信する制御基板４を有し、これらをモジュール化したものである。
【００１４】
なお、本実施の形態１では、図１（ａ）に示すように、表示ユニット２をマトリックス状に配置し、その中央部に制御基板４を設置し、無線伝送基板３を表示モジュール１の上下左右の端部に１枚ずつ計４枚設置しているが、表示ユニット２の配置、表示モジュール１における無線伝送基板３及び制御基板４の設置位置はこれに限定されるものではなく、様々な変形例が可能である（実施の形態２参照）。
【００１５】
また、図１（ａ）に示す表示モジュール１を、同一平面上に複数組み合わせることにより全体として１つの映像表示部を構成し、多様なサイズの大型映像表示装置（スクリーン）を構築することができる。
【００１６】
本実施の形態１に係る表示ユニット２は、図１（ｂ）に示すように、制御基板４から送信された映像信号を受信する無線受信部５を有している。なお、表示ユニット２は、ＬＥＤまたは有機ＥＬにより構成されたもの、あるいはＤＬＰディスプレイ等、表示機器全般を含む。無線伝送基板３は、図１（ｃ）に示すように無線受信部５と無線送信部６を有する無線通信モジュール７を搭載し、上位のコントローラ８から送信された映像信号を無線通信モジュール７により制御基板４に送信する。
【００１７】
また、制御基板４は、図１（ｄ）に示すように、無線伝送基板３と同様、無線受信部５と無線送信部６を有する無線通信モジュール７を搭載し、この無線通信モジュール７により、無線伝送基板３から送信された映像信号を受信するとともに、受信した映像信号を各表示ユニット２に送信する。
【００１８】
コントローラ８は、様々なフォーマットの映像信号を任意の画素数に処理し、表示モジュール１の無線伝送基板３に送信する。アドレス設定装置９は、スクリーンサイズに対応したアドレスを各表示ユニット２に割り振り、このアドレス情報を表示モジュール１の無線伝送基板３に送信する。コントローラ８及びアドレス設定装置９は、表示モジュール１に設置された１枚の無線伝送基板３とケーブル１０を介して接続される。
【００１９】
次に、本実施の形態１に係る大型映像表示装置における無線信号伝送機能について、図２及び図３を用いて説明する。図２及び図３では、説明の都合上、３つの表示モジュールを示しているが、これは大型映像表示装置の一部分を示すものである。なお、図中、図１と同一、相当部分には同一符号を付している。
【００２０】
まず、アドレス設定装置９から出力されるアドレス信号により、各表示ユニットのアドレスが設定される。アドレス設定装置９により設定された各表示ユニットのアドレスの例を図３に示す。図３に示すように、各表示ユニット２のアドレスは、ｘ座標とｙ座標から構成され、１つの表示ユニット２Ａ（０、０）を基準として、隣接する表示ユニット２毎にｘ方向、ｙ方向にそれぞれ座標が１ずつ増減する。
【００２１】
また、コントローラ８は、図２に示すように、表示モジュール１ａに設置された１枚の無線伝送基板３ａとケーブル１０を介して接続され、この無線伝送基板３ａに対して映像信号を送信する。映像信号を受信した無線伝送基板３ａは、無線通信モジュール７（図示せず）により、当該表示モジュール１ａに設置された制御基板４ａに対して映像信号を送信する。
【００２２】
一方、制御基板４ａは、アドレス設定時に、他の制御基板（例えば４ｂ、４ｃ）と通信し、当該制御基板４ａがどの範囲のアドレスを担当するかを認識している。これにより、制御基板４ａは、無線伝送基板３ａから送信された映像信号（映像データ）が当該表示モジュール１ａに対応する映像データか、他の表示モジュールに対応する映像データかを判
別し、当該表示モジュール１ａに対応する映像データのみを受信する。
【００２３】
さらに、制御基板４ａは、受信した当該表示モジュール１ａに対応する映像データを、表示モジュール１ａ内の各表示ユニット２ａへ送信する。その際、制御基板４ａは、映像データにヘッダー情報として表示ユニット２ａのアドレスを付加し、各表示ユニット２ａは、当該表示ユニットのアドレスが付加された映像データを受信し、映像を表示する。
【００２４】
また、制御基板４ａは、他の表示モジュールに対応する映像データを、表示モジュール１ａに隣接する表示モジュール（図２では表示モジュール１ｂ）に設置された無線伝送基板３ｂに、無線通信モジュール７により転送する。なお、図２では、表示モジュール１ａに隣接する表示モジュールは、表示モジュール１ｂだけであるが、上下左右に隣接する表示モジュールがある場合は、それら全てに転送する。
【００２５】
表示モジュール１ｂに設置された制御基板４ｂは、無線伝送基板３ｂから映像データを受信し、この映像データが当該表示モジュール１ｂに対応する映像データか、他の表示モジュールに対応する映像データかを判別する。当該表示モジュール１ｂに対応する映像データの場合は、その映像データを表示モジュール１ｂ内の各表示ユニット２ｂへ送信する。また、他の表示モジュールに対応する映像データの場合は、その映像データを、隣接する表示モジュール（図２では表示モジュール１ｃ）に設置された無線伝送基板３ｃに、無線通信モジュール７により転送する。以下、同様の動作が繰り返される。
【００２６】
このように、本実施の形態１では、表示モジュール１ａ、１ｂ、１ｃ・・を同一平面上に複数組み合わせることにより、全体として１つの映像表示部を構成した大型映像表示装置において、各表示モジュール１ａ（１ｂ、１ｃ）は、それぞれ複数の無線伝送基板３ａ（３ｂ、３ｃ）を有し、そのうち１枚の無線伝送基板（図２では無線伝送基板３ａ）に、コントローラ８からケーブル１０を介して映像信号が送信される。
【００２７】
それ以降の信号伝送、すなわち表示モジュール１ａ（１ｂ、１ｃ）内部における無線伝送基板３ａ（３ｂ、３ｃ）と制御基板４ａ（４ｂ、４ｃ）間の映像信号の送受信、及び互いに隣接する表示モジュール１ａ、１ｂ（または１ｂ、１ｃ）における無線伝送基板３ａ、３ｂ（または３ｂ、３ｃ）相互間の映像信号の送受信は、すべて無線で行われる。
【００２８】
また、映像データに表示ユニット２ａ（２ｂ、２ｃ）のアドレスを付加することにより、各表示ユニット２ａ（２ｂ、２ｃ）は、当該表示ユニットに対応する映像データのみを受信することができるため、制御基板４ａ（４ｂ、４ｃ）から発信される無線信号は、赤外線通信のように必ずしも指向性を持たせる必要がなく、同心円状に発信されたものでもよい。
【００２９】
次に、本実施の形態１に係る大型映像表示装置における無線電力伝送機能について、図４を用いて説明する。図４に示すように、各表示モジュール１ａ（または１ｂ）は、その端縁部の少なくとも２箇所に、無線で電力伝送を行う電力送受信機１１ｂ、１１ｃ（または１１ｄ、１１ｅ）を備え、そのうち１つの電力送受信機１１ｂに外部電源から電力が供給され、隣接する表示モジュール１ａ、１ｂ相互間の電力伝送は無線で行われる。
【００３０】
電力送受信機としては、例えば電磁誘導の原理で外部の磁界変化により起電力を発生させる装置が用いられる。また、外部電源（図示せず）から最初に電力を供給される電力送受信機１１ｂには、ＡＣ／ＤＣ変換器１２が備えられている。ＡＣ／ＤＣ変換器１２は、ある電圧の交流電流を、異なる電圧の直流電流へ変換する。外部電源からの電力供給は交流であるため、外部電源に接続された電力送受信機１１ａから受信した電力を、ＡＣ／ＤＣ変換器１２で直流電流に変換し、各表示ユニット２ａ及び隣接する表示モジュール１ｂ
に供給する。
【００３１】
図４では、外部電源にケーブル１３を介して接続された電力送受信機１１ａから、表示モジュール１ａの下端に設置された電力送受信機１１ｂに交流の電力が無線で供給される。これを受信した電力送受信機１１ｂは、受信した電力をＡＣ／ＤＣ変換器１２により直流電流に変換する。なお、図４中、矢印は電力伝送の方向を示し、各表示ユニット２ａ及び隣接する表示モジュール１ｂに供給される電力はすべてＡＣ／ＤＣ変換器１２により直流電流に変換されたものである。
【００３２】
また、電力送受信機１１ｂは、受信した電力を、当該表示モジュール１ａ内で必要な電力と、隣接する表示モジュール１ｂに伝送する電力とに分配する。表示モジュール１ａ内で必要な電力は、電力送受信機１１ｂから各表示ユニット２ａに分配される。なお、表示ユニット２ａ相互間の電力伝送は、基板と基板の機械的接続により直接行っており、ケーブルは使用していない。
【００３３】
隣接する表示モジュール１ｂに伝送する電力は、表示モジュール１ａの上端に設けられた電力送受信機１１ｃに無線伝送され、さらに、電力送受信機１１ｃから隣接する表示モジュール１ｂの電力送受信機１１ｄに無線伝送される。表示モジュール１ｂにおいても同様に、受信した電力を、当該表示モジュール１ｂ内で必要な電力と、表示モジュール１ａとは違う方向に隣接する表示モジュール（図示せず）に伝送する電力とに分配する。以下、同様の動作が繰り返される。
【００３４】
なお、図４では、電力送受信機を各表示モジュールの上端と下端の２箇所に設置し、縦方向に電力伝送を行っているが、電力送受信機の設置位置及び電力伝送の方向はこれに限定されるものではなく、様々な変形例が可能である（実施の形態２参照）。また、図４では、同一表示モジュール１ａ（または１ｂ）内の電力伝送を無線で行っているが、同一表示モジュール内の電力伝送はケーブルで行ってもよい。ただし、隣接する表示モジュール１ａ、１ｂ相互間の電力伝送は無線で行うものとする。
【００３５】
以上のように、本実施の形態１に係る大型映像表示装置によれば、映像信号の伝送において、図２に示すように、コントローラ８及びアドレス設定装置９を、大型映像表示装置を構成する表示モジュール１ａに設置された１枚の無線伝送基板３ａとケーブル１０を介して接続し、その他の信号伝送、すなわち同一表示モジュール１ａ内における無線伝送基板３ａと制御基板４ａ間、制御基板４ａと各表示ユニット２ａ間、及び隣接する表示モジュール１ａ、１ｂにおける無線伝送基板３ａ、３ｂ相互間の信号伝送は、すべて無線で行うことができる。
【００３６】
また、電力の伝送においても、図４に示すように、隣接する表示モジュール１ａ、１ｂ相互間の伝送を、電力送受信機１１ｃ、１１ｄにより無線で行うことができる。このため、従来の大型映像表示装置に比べてケーブル数を削減することができる。複数の表示モジュール１から構成された大型映像表示装置の場合、表示モジュール１相互間のケーブルの配線が少ないほど組立、解体作業が容易であり、作業時間を短縮できる。また、ケーブル数の削減により、低コスト化、軽量化が図られる。
【００３７】
なお、一般に、他のシステムで無線通信モジュールを用いた通信を行う場合には、組立時の光軸合わせに時間を要する。しかし、大型映像表示装置においては、無線通信モジュール７の有無に関係なく、スクリーンの組立時には高いアライメント精度が求められる。従って、各表示ユニット２及び各表示モジュール１の位置合わせは、スクリーンを組立てた時点で完了しており、メンテナンス時には光軸を気にせず短時間で作業を実施できる。
【００３８】
また、本実施の形態１に係る大型映像表示装置は、表示モジュール１内において、１枚の制御基板４で複数の表示ユニット２を制御する１対Ｎ制御であり、表示ユニット２には無線受信部５のみ搭載すればよい。従って、表示ユニット毎に制御コントローラと無線通信モジュールを設置していた先行例に比べて構造が簡単であり、低コストとなる。以上のことから、本実施の形態１によれば、設定性、メンテナンス性の良い大型映像表示装置を低コストで実現することができる。
【００３９】
実施の形態２．
上記実施の形態１では、無線通信モジュール７が搭載された制御基板４を表示モジュール１の中央部に設置したが、本発明に係る大型映像表示装置は、表示モジュール１を構成する表示ユニット２の数と配置、及び表示モジュール１の数と配置に応じて、無線通信機能を実現するための無線通信モジュール７の配置を変更することが可能であり、様々なスクリーンサイズに柔軟に対応可能である。
【００４０】
図５（ａ）は、本発明の実施の形態２に係る大型映像表示装置の構成を示している。表示モジュール１ｄは、縦方向に配置された４枚の表示ユニット２ｄから構成され、各表示ユニット２ｄと同一平面上に1枚の無線通信型制御基板１４が配置されている。無線通信
型制御基板１４は、上記実施の形態１の無線伝送基板３と制御基板４を一体化したもので、図５（ｂ）に示すように、４組の無線通信モジュール７を搭載している。
【００４１】
本実施の形態２に係る大型映像表示装置における無線信号伝送機能について、図５を用いて簡単に説明する。まず、アドレス設定装置９から出力されるアドレス信号により、各表示ユニットのアドレスが設定される。アドレスの設定方法については上記実施の形態１と同様であるので説明を省略する。コントローラ８は、表示モジュール１ｄの無線通信型制御基板１４にケーブル１０を介して接続され、無線通信型制御基板１４に対して映像信号を送信する。
【００４２】
無線通信型制御基板１４は、コントローラ８から受信した映像信号が、当該表示モジュール１ｄに対応する映像データか、他の表示モジュールに対応する映像データかを判別し、当該表示モジュール１ｄに対応する映像データのみを受信する。さらに、当該表示モジュール１ｄに対応する映像データを、無線通信モジュール７により、表示モジュール１ｄ内の表示ユニット２ｄへ送信する。各表示ユニット２ｄは、無線受信部（図示せず）によりこれを受信し、映像を表示する。
【００４３】
次に、本実施の形態２に係る大型映像表示装置の無線電力伝送機能について、図６を用いて説明する。本実施の形態２に係る大型映像表示装置の無線電力伝送機能は、上記実施の形態１（図４）と同様であるが、電力の伝送方向が横（右）方向である。なお、図６中、図４と同一、相当部分には同一符号を付し、説明を省略する。
【００４４】
まず、外部電源（図示せず）にケーブル１３を介して接続された電力送受信機１１ａから、表示モジュール１ｄの左端に設置された電力送受信機１１ｂに交流の電力が無線で供給される。これを受信した電力送受信機１１ｂは、受信した電力をＡＣ／ＤＣ変換器１２により直流電流に変換する。
【００４５】
また、電力送受信機１１ｂは、受信した電力を、当該表示モジュール１ｄ内で必要な電力と、隣接する表示モジュールに伝送する電力とに分配する。表示モジュール１ｄ内で必要な電力は、電力送受信機１１ｂから各表示ユニット２ｄに分配され、その他の電力は、表示モジュール１ｄの右端に設けられた電力送受信機１１ｃに無線伝送され、さらに、電力送受信機１１ｃから隣接する表示モジュールの電力送受信機１１ｄに無線伝送される。以下、同様の動作が繰り返される。
【００４６】
本実施の形態２によれば、上記実施の形態１と同様の効果に加え、上記実施の形態１における無線伝送基板３と制御基板４を一体化した無線通信型制御基板１４を用いることにより、部品点数の削減による低コスト化及び軽量化が図られる。また、無線通信型制御基板１４を表示ユニット２ｄと同一平面上に配置し、奥行き方向に重ならないようにしたので、大型映像表示装置の薄型化が図られる。
【００４７】
実施の形態３．
図７は、本発明の実施の形態３に係る大型映像表示装置における無線信号伝送機能を示している。上記実施の形態１及び実施の形態２では、各表示ユニットは、制御基板４または無線通信型制御基板１４に搭載された無線通信モジュール７から送信される映像信号を受信するための無線受信部５のみを搭載していた。本実施の形態３では、図７（ａ）に示すように、表示モジュール１ｅを構成する各表示ユニット２ｅに、無線で信号の送受信を行う第３の無線通信モジュール（以下、無線通信モジュール７）を搭載し、制御基板４との間で信号の送受信を行えるようにしたものである。
【００４８】
図７（ｂ）に示すように、表示ユニット２ｅは、無線受信部５と無線送信部６を有する無線通信モジュール７を搭載している。また、図示していないが、当該表示ユニット２ｅに関る情報を記憶するメモリを搭載している。メモリには、当該表示ユニット２ｅのアドレス情報、温度情報、エラー情報、ステータス情報等が記憶されている。これにより、制御基板４から送信された映像信号を受信するとともに、各表示ユニット２ｅのメモリが記憶している情報を、制御基板４またはコントローラ（図示せず）に送信する。なお、本実施の形態３に係る大型映像表示装置の無線電力伝送機能については、上記実施の形態１と同様であるので説明を省略する。
【００４９】
本実施の形態３によれば、上記実施の形態１と同様の効果に加え、各表示ユニット２ｅに無線通信モジュール７を搭載することにより、表示ユニット２ｅと上位の制御基板４またはコントローラとの間で信号の送受信を行うことが可能となり、さらに高性能な大型映像表示装置が得られる。
【産業上の利用可能性】
【００５０】
本発明は、複数の表示ユニットを含む表示モジュールを備えた大型映像表示装置として利用することができる。
【符号の説明】
【００５１】
１、１ａ、１ｂ、１ｃ、１ｄ、１ｅ  表示モジュール、
２、２ａ、２ｂ、２ｃ、２ｄ、２ｅ  表示ユニット、
３、３ａ、３ｂ、３ｃ  モジュール間無線伝送基板、
４、４ａ、４ｂ、４ｃ  制御基板、５  無線受信部、６  無線送信部、
７  無線通信モジュール、８  コントローラ、９  アドレス設定装置、
１０、１３  ケーブル、１１ａ、１１ｂ、１１ｃ、１１ｄ、１１ｅ  電力送受信機、
１２  ＡＣ／ＤＣ変換器、１４  無線通信型制御基板。
【図１】
0005641795.tif 000002
【図２】
0005641795.tif 000003
【図３】
0005641795.tif 000004
【図４】
0005641795.tif 000005
【図５】
0005641795.tif 000006
【図６】
0005641795.tif 000007
【図７】
0005641795.tif 000008